(57)【特許請求の範囲】
【請求項１】
減色法による三原色を構成するマゼンダ（Ｍ）、シアン（Ｃ）、黄（Ｙ）を各種比率で混合してなる混色色見本単位を直交縦横方向に配列した混色色見本帳において、
前記各混色色見本単位について前記三原色のうちの一色を所定の混合比に固定した固定色とし、他の二色の混合比をそれぞれ変化させた該混色色見本単位を前記直交縦横方向に配列した集合単位区画を形成し、
前記集合単位区画を所定寸法の用紙に前記直交縦横方向に配列し、
前記直交縦横方向における第１方向に配列された前記各集合単位区画は、前記固定色の混合比を該第１方向に順次変化させ、
前記直交縦横方向における第２方向に配列された前記各集合単位区画は、該第２方向において隣り合う２つの集合単位区画における前記固定色を同色とすると共に、該隣り合う２つの集合単位区画を単位として該固定色の色を該第２方向に順次変化させ、
前記第２方向において隣り合いかつ前記固定色が同色となる一方の集合単位区画において、前記第１方向に配列された前記各混色色見本単位は、前記他の二色のうちの一色の混合比を該第１方向に順次変化させ、前記第２方向に配列された前記各混色色見本単位は、前記他の二色のうちの他色の混合比を該第２方向に順次変化させ、
前記第２方向において隣り合いかつ前記固定色が同色となる他方の集合単位区画において、前記第１方向に配列された前記各混色色見本単位は、前記他色の混合比を該第１方向に順次変化させ、前記第２方向に配列された前記各混色色見本単位は、前記一色の混合比を該第２方向に順次変化させた、混色色見本帳。
【請求項２】
減色法による三原色を構成するマゼンダ（Ｍ）、シアン（Ｃ）、黄（Ｙ）を各種比率で混合してなる混色色見本単位を直交縦横方向に配列した混色色見本帳において、
前記各混色色見本単位について前記三原色のうちの一色を所定の混合比に固定した固定色とし、他の二色の混合比をそれぞれ変化させた該混色色見本単位を前記直交縦横方向に配列した集合単位区画を形成し、
前記集合単位区画を所定寸法の用紙に前記直交縦横方向に配列し、
前記直交縦横方向における第１方向に配列された前記各集合単位区画は、前記固定色の混合比を該第１方向において一定にし、
前記直交縦横方向における第２方向に配列された前記各集合単位区画は、該第２方向において隣り合う２つの集合単位区画における前記固定色を同色とすると共に、該隣り合う２つの集合単位区画を単位として該固定色の色を該第２方向に順次変化させ、
前記第２方向において隣り合いかつ前記固定色が同色となる一方の集合単位区画において、前記第１方向に配列された前記各混色色見本単位は、前記他の二色のうちの一色の混合比を該第１方向に順次変化させ、前記第２方向に配列された前記各混色色見本単位は、前記他の二色のうちの他色の混合比を該第２方向に順次変化させ、
前記第２方向において隣り合いかつ前記固定色が同色となる他方の集合単位区画において、前記第１方向に配列された前記各混色色見本単位は、前記他色の混合比を該第１方向に順次変化させ、前記第２方向に配列された前記各混色色見本単位は、前記一色の混合比を該第２方向に順次変化させ、
補色の黒（Ｋ）を前記第１方向に前記各集合単位区画ごとに順次変化させて混合した、混色色見本帳。
【請求項３】
前記第１方向は横方向であり、前記第２方向は縦方向である、請求項１又は２に記載の混色色見本帳。
【発明の詳細な説明】
【０００１】
【発明の属する技術分野】
本発明は、一般に混色色見本帳に関し、さらに詳しく言えば、減色法による三原色を構成するマゼンダ（Ｍ）、シアン（Ｃ）、黄（Ｙ）を各種比率で混合してなる混色色見本単位を直交縦横方向に配列した混色色見本帳に関するものである。
【０００２】
【従来の技術】
一般に、すべての色は、人間の視覚のもつ性質により、３つの原色で表せられる。加色法では、赤（Ｒ）、緑（Ｇ）、青（Ｂ）の三原色を各種の比率で混合することにより、すべての色が表現される。これは、例えば、３台の投光器等によってスクリーン上に投光したときに得られる。一方、減色法では、マゼンダ（Ｍ）、シアン（Ｃ）、黄（Ｙ）の三原色を各種の比率で混合することにより、すべての色が表現される。これは、例えば、３色の絵の具を混合したときに得られる。
【０００３】
色見本帳は、後者の減色法を基礎に置いている。従来の混色色見本帳は、図３の（Ａ）、（Ｂ）、・・・、（Ｃ）に示すように、マゼンダ（Ｍ）、シアン（Ｃ）、黄（Ｙ）を各種比率で混合してなる混色色見本単位１を直交縦横方向に配列している。各混色色見本単位１について三原色のうちの一色（例えば（Ｙ））を所定の混合比（Ｙ１）に固定し、他の二色（例えば、Ｃ、Ｍ）の混合比をそれぞれ変化させた混色色見本単位１を直交縦方向（Ｍ）および横方向（Ｃ）に配列した集合単位区画１０を形成し、これを所定の用紙の１ページに印刷する。同様にして、固定混合比を変えて、順次Ｙ２、Ｙ３、・・・、Ｙｎ（図３（Ａ））、Ｍ１、Ｍ２、Ｍ３、・・・、Ｍｎ（図３（Ｂ））、Ｃ１、Ｃ２、Ｃ３、・・・、Ｃｎ（図３（Ｃ））をそれぞれページごとに印刷していた。
【０００４】
【発明が解決しようとする課題】
この方法による色見本帳では、各ページごとに混色色見本単位１の比較、または色の推移を比較することは容易であるので、印刷者側にとっては便利である。しかし、異なる集合単位区画１０（すなわち、異なるページ）における混色色見本単位１の比較、または色の推移を比較することは困難であるので、デザイナ側にとっては不便である。
【０００５】
さらに、従来の混色色見本はページ数が多くなり、費用が高くなり、携帯にも不便であった。
【０００６】
したがって、本発明は、印刷者側、デザイナ側の双方にとって使用が簡便であり、安価で、携帯に便利な混色色見本帳を得ることを課題にしている。
【０００７】
【課題を解決するための手段】
本発明の混色色見本帳は、減色法による三原色を構成するマゼンダ（Ｍ）、シアン（Ｃ）、黄（Ｙ）を各種比率で混合してなる混色色見本単位を直交縦横方向に配列した混色色見本帳において、前記各混色色見本単位について前記三原色のうちの一色を所定の混合比に固定した固定色とし、他の二色の混合比をそれぞれ変化させた該混色色見本単位を前記直交縦横方向に配列した集合単位区画を形成し、前記集合単位区画を所定寸法の用紙に前記直交縦横方向に配列し、前記直交縦横方向における第１方向に配列された前記各集合単位区画は、前記固定色の混合比を該第１方向に順次変化させ、前記直交縦横方向における第２方向に配列された前記各集合単位区画は、該第２方向において隣り合う２つの集合単位区画における前記固定色を同色とすると共に、該隣り合う２つの集合単位区画を単位として該固定色の色を該第２方向に順次変化させ、前記第２方向において隣り合いかつ前記固定色が同色となる一方の集合単位区画において、前記第１方向に配列された前記各混色色見本単位は、前記他の二色のうちの一色の混合比を該第１方向に順次変化させ、前記第２方向に配列された前記各混色色見本単位は、前記他の二色のうちの他色の混合比を該第２方向に順次変化させ、前記第２方向において隣り合いかつ前記固定色が同色となる他方の集合単位区画において、前記第１方向に配列された前記各混色色見本単位は、前記他色の混合比を該第１方向に順次変化させ、前記第２方向に配列された前記各混色色見本単位は、前記一色の混合比を該第２方向に順次変化させたことを特徴とする手段によって上記課題を解決している。
【０００８】
即ち、集合単位区画の固定色の混合比を第１方向に変化させると共に、固定色の色を第２方向に変更させることが好ましい。
【０００９】
本発明の混色色見本帳は、減色法による三原色を構成するマゼンダ（Ｍ）、シアン（Ｃ）、黄（Ｙ）を各種比率で混合してなる混色色見本単位を直交縦横方向に配列した混色色見本帳において、前記各混色色見本単位について前記三原色のうちの一色を所定の混合比に固定した固定色とし、他の二色の混合比をそれぞれ変化させた該混色色見本単位を前記直交縦横方向に配列した集合単位区画を形成し、前記集合単位区画を所定寸法の用紙に前記直交縦横方向に配列し、前記直交縦横方向における第１方向に配列された前記各集合単位区画は、前記固定色の混合比を該第１方向において一定にし、前記直交縦横方向における第２方向に配列された前記各集合単位区画は、該第２方向において隣り合う２つの集合単位区画における前記固定色を同色とすると共に、該隣り合う２つの集合単位区画を単位として該固定色の色を該第２方向に順次変化させ、前記第２方向において隣り合いかつ前記固定色が同色となる一方の集合単位区画において、前記第１方向に配列された前記各混色色見本単位は、前記他の二色のうちの一色の混合比を該第１方向に順次変化させ、前記第２方向に配列された前記各混色色見本単位は、前記他の二色のうちの他色の混合比を該第２方向に順次変化させ、前記第２方向において隣り合いかつ前記固定色が同色となる他方の集合単位区画において、前記第１方向に配列された前記各混色色見本単位は、前記他色の混合比を該第１方向に順次変化させ、前記第２方向に配列された前記各混色色見本単位は、前記一色の混合比を該第２方向に順次変化させ、補色の黒（Ｋ）を前記第１方向に前記各集合単位区画ごとに順次変化させて混合したことを特徴とする手段によっても上記課題を解決できる。
【００１０】
前記第１方向を横方向とし、前記第２方向を縦方向とすることが好ましい。
【００１１】
【発明の実施の形態】
図１を参照して、本発明の混色色見本帳の第１実施形態について説明する。
本発明は、減色法による三原色を構成するマゼンダ（Ｍ）、シアン（Ｃ）、黄（Ｙ）を各種比率で混合してなる混色色見本単位２を直交縦横方向に配列した混色色見本帳に適用される。
【００１２】
本発明の混色色見本帳は、各混色色見本単位２について三原色のうちの一色（例えば、Ｙ）を所定の混合比（Ｙ１）に固定し、他の二色（例えば、Ｃ、Ｍ）の混合比をそれぞれ変化させた混色色見本単位２を直交縦横方向に配列した集合単位区画２０を形成する。例えば、図１の最上段最左翼の集合単位区画２０においては、黄（Ｙ）を所定の混合比Ｙ１に固定し、直交横方向にシアン（Ｃ）の混合比を変化させ、直交縦方向にマゼンダ（Ｍ）の混合比を変化させている。
【００１３】
集合単位区画２０を所定寸法の用紙３０に直交縦横方向に配列し、各集合単位区画２０の固定色の混合比を第１方向に順次変化させると共に、他の二色を第２方向に変更させる。例えば、図１においては、固定色の黄（Ｙ）を直交横方向にＹ１、Ｙ２、Ｙ３、・・・、Ｙｎに順次変化させると共に、縦方向には黄（Ｙ）、黄（Ｙ）、マゼンダ（Ｍ）、マゼンダ（Ｍ）、シアン（Ｃ）、シアン（Ｃ）に変更させている。
【００１４】
本発明の混色色見本帳の第２実施形態について、図２を参照して説明する。この実施例においては、各集合単位区画２０の固定色の混合比を第１方向（横方向）に一定にする（例えば、Ｙ＝Ｙｋ、Ｍ＝Ｍｋ、Ｃ＝Ｃｋ）と共に、他の二色を第２方向（縦方向）に変更させ、補色の黒（Ｋ）を第１方向（横方向）に各集合単位区画２０ごとに順次変化させて（例えば、Ｋ＝５％、１０％、１５％、・・・・１００％）混合したことを特徴とする。他の構成は第１実施形態と実質的に同様である。
【００１５】
集合単位区画２０の直交縦横方向配列は、できれば１枚の用紙３０に収めることが好ましいが、必要に応じて見開き２ページにわたることもできる。
【００１６】
【発明の効果】
本発明によれば、印刷者側、デザイナ側の双方にとって使用が簡便であり、安価で、携帯に便利な混色色見本帳を得ることができる。
【００１７】
混色色見本帳の各横列において同一色がそれぞれ表示されるが、いずれかの列において、同一系統の色が集合して表されるために、色の選別が容易になる。すなわち、補色の関係にあるような異なる色が近くにあると、その色に影響される（色相対比）からである。
【００１８】
さらに、本発明では、６組の色変化の組合せについて図示して説明してきたが、縦軸と横軸とを逆にしたものを比較すると、図示の場合、左上隅と右下隅とを結ぶ対角線を軸とした対称関係で表されるだけで、新しい同一系統の色の集合をつくることはないので、いずれか一方のみ（結果として、３組の色変化の組合せ）があれば十分である。
【図面の簡単な説明】
【図１】本発明混色色見本帳の第１実施形態の平面図である。
【図２】本発明混色色見本帳の第２実施形態の平面図である。
【図３】従来の混色色見本帳の展開平面図である。
【符号の説明】
１、２    混色色見本単位
１０、２０    集合単位区画
３０    用紙
【図１】
0004664483.tif 000002
【図２】
0004664483.tif 000003
【図３】
0004664483.tif 000004